(57)【特許請求の範囲】
【請求項１】
筐体の上端開口に設けられた光制御パネルと、上記上端開口の前端縁及び後端縁から上記筐体内へ互いに接近しながら下降傾斜し且つそれぞれの下降端で一体化する第１、第２傾斜壁体と、上記第１傾斜壁体の下面に装着され且つ上記第１傾斜壁体に形成された開口部から表示画面を露呈する表示装置と、上記光制御パネル、上記第１、第２傾斜壁体それぞれの左右両端を閉鎖し且つ上記表示画面からの出射光の光路空間を上記筐体内上部で形成する一対の側壁体と、所定の処理事項を実行するプログラムが予め複数登録され且つ上記表示装置を含む各種の機器を制御する制御装置と、を備え、上記第１、第２傾斜壁体及び上記一対の側壁体の内面にはそれぞれ反射防止層が被覆されてなり、上記制御装置は上記プログラムを実行する際に上記所定の処理事項を上記表示画面に第１の画像として階層的に表示すると共に、上記光制御パネルは上記表示画面からの出射光が透過して上記第１の画像に即した第２の画像を上記光制御パネルの上側空間に空中ディスプレイとして結像する端末処理装置であって、上記空中ディスプレイの一部を指す指示体の位置を検出するために上記上端開口の前端縁に沿って傾斜調整可能に配置された位置検出装置と、上記表示装置と上記位置検出装置それぞれの傾斜角度を調整する傾斜調整装置と、を備え、上記傾斜調整装置は、上記第１傾斜壁体を介して上記表示装置を正逆回転可能に支持する回動アームと、上記回動アームを正逆回転させる第１回転体と、上記第１回転体と逆向きに上記位置検出装置を正逆回転させる、上記第１回転体に連結された第２回転体と、上記第１回転体を回転させる回転駆動機構と、を備えたことを特徴とする端末処理装置。
【請求項２】
上記表示画面には出射方向制限フィルムが被覆されていることを特徴とする請求項１に記載の端末処理装置。
【請求項３】
上記所定の処理事項を要求とする者を特定する情報を読み取る読取装置と、上記読取装置からの信号に基づいて上記制御装置が上記要求処理事項の処理結果を出力する出力装置と、を備えていることを特徴とする請求項１または請求項２に記載の端末処理装置。
【請求項４】
上記検出装置からの信号に基づいて検出音を発する音源を備えていることを特徴とする請求項１〜請求項３のいずれか１項に記載の端末処理装置。
【請求項５】
上記筐体に接近した者を検出する人検出装置を備えていることを特徴とする請求項１〜請求項４のいずれか１項に記載の端末処理装置。    
【発明の詳細な説明】
【技術分野】
【０００１】
本発明は、表示装置の画像を空中に結像させて空中ディスプレイを形成する端末処理装置に関する。
【背景技術】
【０００２】
従来の端末処理装置としては、例えば病院に設置された自動受付機や駅などに設置された券売機などがある。これらの端末処理装置は殆どの場合に表示画面を備え、表示画面を押下することによって要求事項を達成するようになっている。病院の受付機であれば、例えば、表示画面の初期画面から来院の目的、例えば診察受付の表示を指で押下した後、診察カードをカード挿入口に挿入する。受付機ではカードの個人情報を認識した後、表示画面に病院の全診療科科目が表示され、その中から所望の診療科目を指で押下することにより受付票が発行される。診察カードは、個人情報を認識した直後、あるいは受付票の発行時に投入口から排出される。その他、受付機を用いて診療予約や会計などの院内手続を行うことができる。また、券売機を利用する場合には、例えば、表示画面で現金払いかカード払いかを選択し、走行距離に即した金額を押下することにより発券される。この際、カード払いであれば、表示画面に表示された金額を押下することにより清算され、カードが排出される。現金払いであれば必要に応じて釣銭が排出される。
【０００３】
従来の端末処理装置を利用する場合には、目的に応じて表示画面の表示項目を指で押下することにより所定の目的を達成することができる。この際、指が汚れている場合には、指で表示画面を汚染することがある。また、最近のようにコロナウィルスが大流行し、あらゆる所にコロナウィルス菌が付着していることがある。端末処理装置もその例外ではない。そのため、最近では端末処理装置の表示画面などが適宜アルコールなどによって消毒される。それでも、表示画面などのコロナウィルス菌などによる汚染は免れ得ない。
【０００４】
そのため、利用客はコロナ汚染などに神経質になっている。例えば特許文献１には表示画面に直接触れずに所望の処理を済ませる空中タッチパネルに関する技術が開示されている。この技術では、表示画面の画像を空間の一部に結像させ、この結像画像を空中タッチパネルとして利用するものである。空中タッチパネルを実現するために、光制御パネルを傾斜させて配置すると共に、光制御パネルの下側に表示装置を水平に配置している。表示装置の表示画面に画像を映し出すと、表示画面からの出射光が光制御パネルに照射される。出射光は光制御パネルにおいて屈折し、その透過光が光制御パネルの上方空間に表示画面と同様の画像を結像して空中タッチパネルとして形成される。表示画面と空中タッチパネルは上下から光制御パネルを挟んで１：１の対称関係になる。空中タッチパネルの周囲には位置入力手段が配置され、空中タッチパネルに触れた指の位置をＸＹ座標値として検出するようにしてある。このような空中タッチパネルを用いれば、上述のような従来の表示画面に由来する問題がなくなる。
【０００５】
【特許文献１】特開２０１４−６７０７１号公報
【発明の開示】
【発明が解決しようとする課題】
【０００６】
しかしながら、特許文献１に記載の空中タッチパネルの場合には、空中タッチパネルを実現するための技術が抽象的に開示されているにすぎず、端末処理装置などの実用機として表示装置、光制御パネルなど各種の機器を具体的に如何に組み込むかについては不明であり、実用機の開発が待たれている。
【０００７】
本発明は、上記課題を解決するためになされたもので、空中ディスプレイを実現し、衛生的で操作性に優れた端末処理装置を提供することを目的としている。
【課題を解決するための手段】
【０００８】
本発明の請求項１に記載の端末処理装置は、筐体の上端開口に設けられた光制御パネルと、上記上端開口の前端縁及び後端縁から上記筐体内へ互いに接近しながら下降傾斜し且つそれぞれの下降端で一体化する第１、第２傾斜壁体と、上記第１傾斜壁体の下面に装着され且つ上記第１傾斜壁体に形成された開口部から表示画面を露呈する表示装置と、上記光制御パネル、上記第１、第２傾斜壁体それぞれの左右両端を閉鎖し且つ上記表示画面からの出射光の光路空間を上記筐体内上部で形成する一対の側壁体と、所定の処理事項を実行するプログラムが予め複数登録され且つ上記表示装置を含む各種の機器を制御する制御装置と、を備え、上記第１、第２傾斜壁体及び上記一対の側壁体の内面にはそれぞれ反射防止層が被覆されてなり、上記制御装置は上記プログラムを実行する際に上記所定の処理事項を上記表示画面に第１の画像として階層的に表示すると共に、上記光制御パネルは上記表示画面からの出射光が透過して上記第１の画像に即した第２の画像を上記光制御パネルの上側空間に空中ディスプレイとして結像する端末処理装置であって、上記空中ディスプレイの一部を指す指示体の位置を検出するために上記上端開口の前端縁に沿って傾斜調整可能に配置された位置検出装置と、上記表示装置と上記位置検出装置それぞれの傾斜角度を調整する傾斜調整装置と、を備え、上記傾斜調整装置は、上記第１傾斜壁体を介して上記表示装置を正逆回転可能に支持する回動アームと、上記回動アームを正逆回転させる第１回転体と、上記第１回転体と逆向きに上記位置検出装置を正逆回転させる、上記第１回転体に連結された第２回転体と、上記第１回転体を回転させる回転駆動機構と、を備えたことを特徴とするものである。
【０００９】
また、本発明の請求項２に記載の端末処理装置は、請求項１に記載の発明において、上記表示画面には出射方向制限フィルムが被覆されていることを特徴とするものである。
【００１０】
また、本発明の請求項３に記載の端末処理装置は、請求項１または請求項２に記載の発明において、上記所定の処理事項を要求とする者を特定する情報を読み取る読取装置と、上記読取装置からの上記情報に基づいて上記制御装置が上記要求処理事項の処理結果を出力する出力装置と、を備えていることを特徴とするものである。
【００１１】
また、本発明の請求項４に記載の端末処理装置は、請求項１〜請求項３のいずれか１項に記載の発明において、上記検出装置からの信号に基づいて検出音を発する音源を備えていることを特徴とするものである。
【００１２】
また、本発明の請求項５に記載の端末処理装置は、請求項１〜請求項４のいずれか１項に記載の発明において、上記筐体に接近した者を検出する人検出装置を備えていることを特徴とするものである。
【発明の効果】
【００１４】
本発明によれば、クッキリとした明瞭な空中ディスプレイを実現し、衛生的で操作性に優れていると共に利用者の背丈に応じて空中ディスプレイを見やすい傾斜角度に適宜調整することができる端末処理装置を提供することができる。
【図面の簡単な説明】
【００１５】
【図１】本発明の端末処理装置の一実施形態を示す斜視図である。
【図２】（ａ）は図１に示す端末処理装置の内部を示す側面図、（ｂ）は光制御パネルの機能を説明するための説明図である。
【図３】(ａ)は図１に示す端末処理装置の内部を後方上方から見た斜視図、(ｂ)は表示装置と表示画面を被覆する覗き見防止フィルムを示す分解斜視図である。
【図４】図１に示す端末処理装置の内部の表示装置を除いた状態を示す斜視面図である。
【図５】（ａ）は図１に示す端末処理装置を示す正面図、（ｂ）は（ａ）に示す正面の内側を示す正面図である。
【図６】図１に示す端末処理装置の制御系を示すブロック図である。
【図７】（ａ）〜（ｆ）はそれぞれ図１に示す端末処理装置の表示画面に処理事項を時系列に示す空中ディスプレイを示す正面図である。
【図８】図１に示す端末処理装置の他の実施形態に用いられる表示装置の傾斜調整装置を示す説明図である。
【発明を実施するための形態】
【００１６】
以下、図１〜図８に示す実施形態に基づいて本発明の端末処理装置について説明する。
【００１７】
実施形態の端末処理装置１０は、例えば図１に示すように、各種の機器を収納する筐体１１と、この筐体１１の矩形状の上端開口に設けられた光制御パネル１２とを備えている。筐体１１の上面には光制御パネル１２の前端縁に亘って幅の狭い上昇傾斜部１１Ａが延設されている。上昇傾斜部１１Ａの前端には下降傾斜する第１下降傾斜部１１Ｂが形成され、その下端から後方へ下降傾斜し途中から湾曲する第２下降傾斜部１１Ｃが延設されている。第２下降傾斜部１１Ｃの下端には筐体１１の正面部１１Ｅが背面１１Ｄと平行するように延設されている。従って、筐体１１の正面側の上部は、第１、第２下降傾斜部１１Ｂ、１１Ｃが前方に膨らみ、その内部に後述する各種の機器が収納されている。また、光制御パネル１２は筐体１１の開口周縁に取り付けられた枠体１３に装着されている。
【００１８】
図２の(ａ)及び図３の(ａ)に示すように、上記筐体１１の上端開口の前端縁には筐体１１内へ下降傾斜する第１傾斜壁体１４が設けられ、第１傾斜壁体１４の下面側には表示装置１５が装着されている。第１傾斜壁体１４には中央開口（図示せず）が形成され、中央開口から表示装置１５の表示画面１５Ａが露呈している。上記筐体１１の上端開口の後端縁には筐体１１内へ下降傾斜する第２傾斜壁体１６が設けられ、第２傾斜壁体１６の下端と第１傾斜壁体１４の下端が連続して一体化している。第１、第２傾斜壁体１４、１６の左右両端には一対の側壁体１７が取り付けられ、表示画面１５Ａを含む内部空間が形成されている。光制御パネル１２と表示画面１５Ａを含む第１傾斜壁体１４と第２傾斜壁体１６と一対の側壁体１７、１７とが表示画面１５Ａからの出射光の通る光路空間を形成している。
【００１９】
ここで光制御パネル１２について説明する。光制御パネル１２は、例えば、上下２枚のガラス板を重ね合わせて一体化して形成されている。一方のガラス板の片面には全面に亘ってミクロンオーダーの溝が平行して一定の間隔をあけて多数形成され、それぞれの溝の側面には垂直な反射面が形成されている。換言すれば、ガラス板の片面には多数のガラス帯１２Ａ（図２の（ｂ）参照）が多数平行して形成され、各ガラス帯１２Ａの間に溝が形成されている。ガラス帯１２Ａの側面は鏡面仕上げになっている。他方のガラス板にも一方のガラス板と同様にその片面にミクロンオーダーのガラス帯１２Ａが多数平行して形成されている。そして、図２の（ｂ）に示すように上下２枚のガラス板のガラス帯１２Ａが互いに直交して重ね合わされて一体化している。同図の（ｂ）ではガラス板の片面の溝がガラス板を貫通してガラス帯１２Ａが直交して重ね合わせたものが示されている。
【００２０】
従って、光路空間内で表示画面１５Ａに画像が表示されると、図２の（ｂ）の説明図に矢印で示すように表示画面１５Ａからの出射光Ｌが光制御パネル１２の下側のガラス帯１２Ａの反射面に入射して反射した後、反射光Ｌ１が上側の反射面に入射し、その反射光Ｌ２が光制御パネル１２を出射して透過光になる。結果的に出射光は光制御パネル１２を介して９０°屈折した透過光になる。表示画面１５Ａからの多数点の出射光が光制御パネル１２を透過し、光制御パネル１２の前方の上方空間で空中画像が結像し、図２の（ａ）に示すよう空中画像が空中ディスプレイＰとして形成される。本実施形態では、出射光と光制御パネル１２の間の角、光制御パネル１２と透過光の間の角はいずれも４５°であり、表示画面１５Ａと空中タッチパネルＰが光制御パネル１２を挟んで１：１の上下対称になる。尚、後述するように表示画面１５Ａは、必要に応じて傾斜角度を適宜調整する構造にすることもできる。
【００２１】
また、上記光路空間の内面、即ち、第１、第２傾斜壁体１４、１６及び左右一対の側壁体１７それぞれの内面には反射防止層として例えば黒色ビロード生地１８が被覆され（図３の（ａ）参照）、光路空間の内面では表示画面１５Ａからの出射光が反射されないようになっている。従って、表示画面１５からの出射光は光路空間では光制御パネル１２へ直進し、光制御パネル１２には出射光のみ入射し、光路空間の内面からの反射光が殆どなく、表示画面１５Ａの画像が障害なくクッキリと鮮明に空中画像として結像するようになっている。
【００２２】
また、図３の（ｂ）に示すように、表示画面１５Ａには出射方向制限フィルムとして覗き見防止フィルム１５Ｂが被覆され、覗き見防止フィルム１５Ｂが表示画面１５Ａからの出射光の分散を制限している。そのため空中ディスプレイＰの発する光は基本的に周囲への分散が制限された直進光からなっているため、空中ディスプレイＰの正面からずれた周囲では表示内容を視認することができず、利用者のプライバシーを確実に保護することができる。
【００２３】
また、筐体１１の底面には表示装置１５などの各種の内蔵機器を制御する制御装置１９が設けられている。制御装置１９は、制御部、中央演算部、主記憶部、補助記憶部及び入出力部を有し、制御部の制御下で補助記憶部に登録された所定のプログラムを制御部の下で中央演算部と主記憶部とが協働して所定の処理事項の処理を逐次実行し、この処理結果を補助記憶部に格納するように構成されている。また、補助記憶部には複数のプログラムが登録されており、選択されたプログラムに即して所定の処理事項が実行される。各プログラムでそれぞれ実行される処理事項は制御装置１９の下でそれぞれの目的に応じて表示装置１４の表示画面１４Ａに階層的に逐次表示されるようになっている。
【００２４】
図３の（ａ）、図４に示すように、上記筐体１１の第１下降傾斜部１１Ｂの内壁面の左側（図１では右側）には読取装置２０が装着され、第１下降傾斜部１１Ｂには読取口２０Ａが形成されている（図１、図５の（ａ）参照）。この読取装置２０は、例えば端末処理装置１０を利用する者がＱＲコード（（株）デンソーウエーブ社の登録商標）あるいはカードを翳すことによりそれぞれの個人情報を読み取り、登録された複数のプログラムの処理事項が表示画面１５Ａに表示されるようになっている。表示画面１５Ａからの出射光が光制御パネル１２を透過してその前部上方空間に表示画面１５Ａの第１の画像（表示画像）に即した第２の画像（空中画像）を結像し空中ディスプレイＰとして形成されるようになっている。この空中ディスプレイＰを用いて端末処理装置１０を操作するようにしてある。
【００２５】
図２の（ａ）、図３の（ａ）及び図４に示すように、上記筐体１１の上昇傾斜部１１Ａにはその略全長に亘って細長のモーションセンサ２１が装着されている。モーションセンサ２１は、例えば、赤外線を空中ディスプレイＰに沿って平行に発光する発光部と、指示体からの反射赤外線を受光する受光部と、発光部及び受光部の信号を処理する処理基板と、を有し、指示体からの反射赤外線に基づいて指示体の指す位置を検出するようになっている。制御装置１９はモーションセンサ２１からの検出信号に基づいて空中ディスプレイＰ上で指示された場所の処理事項を認識し実行するようになっている。
【００２６】
また、図２の（ａ）、図３の（ａ）、図４に示すように、筐体１１内部の第１下降傾斜部１１Ｂと第２下降傾斜部１１Ｃの境界には表示装置１５の近傍まで水平に張り出す基板２２が取り付けられている。図４に示すように基板２２上の右側にはプリンタ２３が設けられ、このプリンタ２３によって処理事項の結果がロールシート２３Ａに印刷され、レシート２３Ｃとして排出口２３Ｂから排出されるようになっている（図１参照）。排出口２３Ｂの上には図１に示すようにフリッカー２４が設けられ、フリッカー２４によりレシート２３Ｃの排出を喚起するようになっている。
【００２７】
図５の（ｂ）に示すように第２下降傾斜部１１Ｃの内面の中央には人検出装置２５が設けられ、その画面には同図の（ａ）に示すように人検出装置２５に対応する開口部２５Ａが第２下降傾斜部１１Ｃに形成され、開口部２５Ａから筐体１１に近づいた利用者を例えば赤外線や超音波などによって検出するようになっている。端末処理装置１０は人検出装置２５からの検出信号に基づいて起動するようになっている。端末処理装置１０の起動時には表示画面に初期画像（例えばメニュー画像）が表示されるようになっている。この初期画面には例えば「病院」メニュー、「ホテル」メニューなど端末処理装置１０が設置される場所に即した複数のメニューが表示されるようになっている。利用者はメニュー画像の中から目的とするメニューを適宜選択するようになっている。また、人検出装置２５の両側にはスピーカ２６が設けられ、スピーカ２６から操作ガイドや操作音などを発するようになっている。
【００２８】
次いで、図１〜図６を参照しながら本実施形態の端末処理装置１０を例えば病院の受付機に用いた場合について説明する。まず、利用者が端末処理装置１０の正面に近づくと人検出装置２５が開口部２５Ａから赤外線を出す。人検出装置２５は赤外線を介して利用者を検出し、図６に示すように検出信号を制御装置１９へ送信する。制御装置１９は人検出装置２５からの信号に基づいて端末処理装置１０を起動させて表示画面１５Ａにメニュー画像を表示する。表示画面１５Ａからの出射光は光制御パネル１２を透過して光制御パネル１２の前方上方の空間にメニュー画像に即した空中画像を空中ディスプレイＰとして結像する。
【００２９】
この際、表示画面１５Ａに被覆された覗き見防止フィルム１５Ｂの作用で出射光が周囲へ分散されることなく一方向に制限されて直進して光制御パネル１２を透過し、制限された透過光によって空中画像を結像して空中ディスプレイＰを形成する。そのため、利用者は周りからの空中ディスプレイＰの覗き見を防止することができる。また、光路空間内では黒色ビロード生地１８が出射光の反射を防止し、光制御パネル１２上の空中空間にクッキリ浮かぶ鮮明なメニュー画像を空中ディスプレイＰとして得ることができる。
【００３０】
次いで、利用者が空中ディスプレイＰのメニュー画像から「病院」メニューボタンを指（指示体）で指すと、スピーカ２６から「ピー」と操作音を発すると共に、モーションセンサ２１が指示体の位置を検出し、その検出信号を制御装置１９へ送信する。制御装置１９は検出信号に基づいて表示画面１５Ａがメニュー画像から「病院」メニューへ移行する。これに伴って空中ディスプレイＰも初期画面から「病院」メニューの画面へ移行する。図７の（ａ）に示すように「病院」メニューの画面には例えば「受付」メニューと「会計」メニューとが表示される。
【００３１】
利用者が例えば空中ディスプレイＰの「病院」メニューから「受付」を指示体で指すと、スピーカ２６から「ピー」と操作音を発すると共に、モーションセンサ２１が指示体の検出信号を制御装置１９へ送信し、表示装置１５の表示画面１５Ａが制御装置１９を介して「受付」メニューへ移行する（図７の（ｂ）参照）。「受付」メニューの画面には例えば「ＱＲコード」と「カード」と表示され、空中ディスプレイＰにも同様に表示される。
【００３２】
利用者が空中ディスプレイＰ上で「ＱＲコード」を指示体で指した場合には、モーションセンサ２１が指示体の検出信号を制御装置１９へ送信する。制御装置１９は検出信号に基づいて指示体が「ＱＲコード」を指したことを認識し、表示装置１５が制御装置１９を介して図７の（ｂ）に示す画面から同図の（ｃ）に示すＱＲコード用の画面へ移行する。また、利用者が空中ディスプレイＰ上で「カード」を指示した場合には、表示画面１５Ａは図７の（ｂ）に示す画面から同図の（ｄ）に示すカード用の画面へ移行する。この際、空中ディスプレイＰも表示画面１５Ａに即した表示画面になる。
【００３３】
図７の（ｃ）に示す画像の場合には、空中ディスプレイＰの指示内容に従ってＱＲコードを読取口２０Ａに翳すと、読取装置２０がＱＲコードを読み取り、その読取信号を図６に示すよう制御装置１９へ送信する。制御装置１９は読取信号に基づいて図７の（ｅ）に示すように「ＱＲコード」を読取口２０Ａに翳すよう要求する。ここで読取口２０ＡにＱＲコードを翳すと、読取装置２０がその読取信号を制御装置１９へ送信する。制御装置１９は読取信号を認識し、その内容を示す信号を表示装置１５へ送信する。その後、図７の（ｅ）に示すように表示装置１５が個人情報に即した予約情報を表示画面１５Ａに表示する。表示画面１５Ａには図７の（ｅ）に示すように予約情報と共に「ＯＫ」ボタン及び「中止」ボタンが表示される。利用者は、予約情報が正しければ「ＯＫ」ボタンを指示体で指し、間違っておれば「中止」ボタンを指し、受付を終了する。「ＯＫ」ボタンを指した場合には、その信号に基づいて制御装置１９がプリンタ２３を起動させ、表示画面１５Ａに表示された予約情報がロールシート２３Ａに印字され、印字後のレシート２３Ｃが排出口２３Ｂから排出される。
【００３４】
「病院」メニューで「会計」メニューを選択した場合には、図７の（ｂ）に示す表示画面で「カード」を指すと、図７の（ｄ）に示す画像へ移行する。図７の（ｄ）に示す画像では、空中ディスプレイＰの指示内容に従ってカードを読取口２０Ａに翳すと、読取装置２０がカードを読み取り、読取信号に基づいて図７の（ｆ）に示すようにカードを読取口２０Ａに翳すよう要求する。ここで読取口２０Ａにカードを翳すと、読取装置２０がその読取信号を認識し、制御装置１９を介して表示装置１５に図７の（ｆ）に示すように表示装置１５が読取内容に即した会計情報を表示画面１５Ａに表示する。表示画面１５Ａには図７の（ｅ）に示すように会計情報と共に清算方法を示すボタンと「中止」ボタンが表示される。利用者は、会計情報が正しければ「クレジットカード」ボタン、「電子マネー」ボタン、「ＱＲコード払い」ボタンのいずれかを示して清算すると、表示画面１５Ａに表示された会計情報がロールシート２３Ａに印字され、印字後のレシート２３Ｃが排出口２３Ｂから排出される。会計情報が間違っておれば「中止」ボタンを指し、受付を終了する。
【００３５】
本実施形態によれば、端末処理装置１０は、筐体１１の上端開口に設けられた光制御パネル１２と、上端開口１１Ａ前端縁及び後端縁から筐体１１内へ互いに接近しながら下降傾斜し且つそれぞれの下降端で一体化する第１、第２傾斜壁体１４、１６と、光制御パネル１２、第１、第２傾斜壁体１４、１６それぞれの左右両端に取り付けられ且つ表示画面１５Ａからの出射光の光路空間を形成する一対の側壁体１７と、第１傾斜壁体１４に形成された開口部から表示画面を露呈する表示装置１５と、表示装置１５を含む各種の機器を制御する制御装置１９と、を備えているため、表示画面１５Ａからの出射光が光路空間を通過し、光制御パネル１２を透過することで光制御パネル１２の前部上方空間に表示画面１５Ａの表示画像に即した空中画像を空中ディスプレイＰとして表示し、表示画面１５Ａに触れることなく衛生的に端末処理装置１０を操作することができる。
【００３６】
また、本実施形態によれば、表示画面１５Ａには覗き見防止フィルム１５Ｂが被覆されていると共に、光路空間の内面には黒ビロード生地１８が被覆されているため、利用者本人以外が見ることができない、鮮明でクッキリした明るい空中ディスプレイＰを得ることができる。
【００３７】
また、利用者を特定する情報を読み取る読取装置２０と、読取装置２０からの信号に基づいて制御装置１９が利用者の要求処理事項の処理結果を出力するプリンタ２６と、を備えているため、空中ディスプレイＰを操作することで表示画面１５Ａに触れることなく処理結果を得ることができる。
【００３８】
また、筐体１１の上端開口の前端縁に沿って設けられ且つ空中ディスプレイＰの一部を指す指示体の指示位置を検出するモーションセンサ２１と、このモーションセンサ２１からの信号に基づいて操作音を発するスピーカと、を備えているため、空中ディスプレイＰを指示体で処理事項を指すだけで確実に所望の処理事項を実行させることができ、指示体で指示したことを確実に確認することができる。
【００３９】
また、上記実施形態では表示装置１５が固定されている場合について説明したが、本発明は、表示装置の傾斜調整装置を設けることにより、空中ディスプレイＰを利用者が見やすい傾斜に調整することができる。以下の実施形態に用いられる傾斜調整装置について上記実施形態と同一又は相当部分については同一符号を付して説明する。
【００４０】
本実施形態に用いられる傾斜調整装置３０は、図８に示すように、表示装置１５を第１傾斜壁体１４と一緒に回動可能に支持する回動アーム３１と、回動アーム３１を正逆方向に回転させる第１プーリ３２と、モーションセンサ２１を上昇傾斜部１１Ａと一緒に正逆方向に回転させる第２プーリ３３と、第１プーリ３２と第２プーリ３３をたすき掛けで連結するタイミングベルト３４と、第１プーリ３２を正逆方向へ回転させるステップモータ３５と、を備え、回動アーム３１が図８に示すように時計方向へ回転すると、これに伴ってモーションセンサ２１が反時計方向に回転するように構成されている。モーションセンサ２１が表示画面１５に同期して反時計方向へ回転することによって、その赤外線の出射方向を常に空中ディスプレイＰに合わせることができる。ステップモータ３５は、例えば基板２２の中央に設けることができる。第１プーリ３２は表示装置１５の幅方向中央に取り付けられ、基板２２の中央に配置されたステッピングモータ３５によって正逆方向に回転するようになっている。
【００４１】
本実施形態では表示装置１５は、第２傾斜壁体１６及び左右一対の側壁体１７から分離し、表示装置１５が固定された第２傾斜壁体１６から独立して回動するようになっている。そのため、表示装置１５が傾斜調整装置３０を介して時計方向へ回転すると共にモーションセンサ２１と同期して反時計方向へ回転すると、第１傾斜壁体１４と第２傾斜壁体１６との間に隙間ができる。この場合でも表示画面１５Ａからの出射光は殆ど乱れることなく、光制御パネル１２へ直進し、上記実施形態と実質的に同一の空中ディスプレイＰを得ることができる。
【００４２】
上記制御装置１９には上記傾斜調整装置３０を制御する制御プロブラムが登録され、上記傾斜調整装置３０はこの制御プログラムによって駆動制御される。例えば、人検出装置２５の検出信号に基づいて端末処理装置１０が起動すると、表示画面１５Ａの初期画面にメニュー画像が表示される共に、このメニュー画像には傾斜調整装置３０を駆動制御するための「傾斜調整」ボタンが隣接して表示されるようになっている。「傾斜調整」ボタンの操作により、例えば、表示画面１５Ａの傾斜角が「４５°」、「６０°」、「７５°」をそれぞれ示すボタンが表示されるようになっている。表示画面１５Ａの初期画面には傾斜調整装置３０の駆動制御に関するこれらのボタンがそのまま空中ディスプレイＰとして階層的に表示されるようになっている。また、傾斜角は、必要に応じて任意の角度を設定することができるプログラムを採用することもできる。
【００４３】
従って、利用者は、空中ディスプレイＰに表示された初期画面の中から背丈に応じて「傾斜角調整」ボタンを指示体で示すと、表示画面１５Ａ、即ち、空中ディスプレイＰの傾斜角を示すボタンが表示され、背丈に応じた傾斜角を指示体で指し、空中ディスプレイＰの傾斜を調整することができる。
【００４４】
本実施形態によれば、利用者の背丈によって空中ディスプレイＰが見づらくなっても傾斜調整装置３０を用いることによって空中ディスプレイＰを見やすい傾斜角度に適宜調整することができる。尚、傾斜調整装置は、必要に応じてモータ駆動ではなく、手動操作による駆動も採用することができる。
【００４５】
尚、本発明は、上記実施形態に何等制限されるものではなく、必要に応じて各構成要素を適宜設計変更することができる。
【符号の説明】
【００４６】
１０    端末処理装置
１１    筐体
１２    光制御パネル
１４    第１傾斜壁体
１５    表示装置
１５Ａ  表示画面
１５Ｂ  覗き見防止フィルム（出射方向制限フィルム）
１６    第２傾斜壁体
１７    側壁体
１８    黒色ビロード生地（反射防止層）
１９    制御装置
２０    読取装置
２１    モーションセンサ（位置検出装置）
２３    プリンタ（出力装置）
２５    人検出装置
２６    スピーカ（音源）
３０    傾斜調整装置
【要約】      （修正有）【課題】衛生的で操作性に優れた空中ディスプレイを実現することができる端末処理装置を提供する。【解決手段】空中画像が空中ディスプレイＰとして形成される端末処理装置１０は、筐体１１の上端開口に設けられた光制御パネル１２と、上端開口前端縁及び後端縁から筐体内へ互いに接近しながら下降傾斜し、且つ、それぞれの下降端で一体化する第１、第２傾斜壁体１４と、光制御パネル、第１傾斜体１４、第２傾斜壁体１６夫々の左右両端に取り付けられ、且つ、表示画面からの出射光の光路空間を形成する一対の側壁体１７と、第１傾斜壁体１４に形成された開口部から表示画面を露出する表示装置１５と、表示装置１５を含む各種の機器を制御する制御装置１９とを備える。【選択図】図２【図１】
0006916568.tif 000002
【図２】
0006916568.tif 000003
【図３】
0006916568.tif 000004
【図４】
0006916568.tif 000005
【図５】
0006916568.tif 000006
【図６】
0006916568.tif 000007
【図７】
0006916568.tif 000008
【図８】
0006916568.tif 000009